(57)【特許請求の範囲】
【請求項１】
活動量計測手段を備えた携帯型端末、
活動量計測手段で計測された活動量に対して付与するポイントを算出するポイント算出手段、
ポイント管理機能を有するサーバー、及び
活動量に関するアドバイスが提供されるアドバイス提供地に設置され、活動量計測手段に記憶されている活動量を読み出す情報読出端末、
を備えた活動量ポイント管理システムであって、
ポイント算出手段が、当該時点でポイント付与の対象とする活動量を、情報読出端末で読み出されていない活動量とし、当該時点で活動量に対して付与するポイントを、当該時点より前の情報読出端末による読出時と当該時点との間隔に応じて算出する活動量ポイント管理システム。
【請求項２】
ポイント算出手段が当該時点でポイント付与の対象とする活動量に、読み出されてないと扱われる活動量が含まれる請求項１記載の活動量ポイント管理システム。
【請求項３】
携帯型端末がポイント算出手段を備え、ポイント算出手段で算出されたポイントが情報読出端末によりサーバーに送信される請求項１又は２記載の活動量ポイント管理システム。
【請求項４】
情報読出端末がポイント算出手段を備え、ポイント算出手段で算出されたポイントが情報読出端末からサーバーに送信される請求項１又は２記載の活動量ポイント管理システム。
【請求項５】
当該時点より前の携帯型端末からの活動量情報の読出時と当該時点との間隔が所定期間を経過している場合に、ポイント算出手段が活動量に対してポイントを付与しない請求項１〜４のいずれかに記載の活動量ポイント管理システム。
【請求項６】
当該時点より前の携帯型端末からの活動量情報の読出時と当該時点との間隔が所定期間を経過している場合に、ポイント算出手段が活動量に対するポイントの付与割合を減らす請求項１〜４のいずれかに記載の活動量ポイント管理システム。
【請求項７】
当該時点より前の携帯型端末からの活動量情報の読出時と当該時点との間隔が所定期間以下の場合に、ポイント算出手段によるポイントの算出が保留される請求項１〜６のいずれかに記載の活動量ポイント管理システム。
【請求項８】
情報読出端末が、携帯型端末から読み出した活動量の情報をサーバーに転送する機能を有し、
サーバーが各ユーザーの活動量の情報を記憶する機能を有すると共に、日常生活における活動の質及び量とそれらに対するアドバイスとを関連づけたデータベースを有し、活動量の情報が情報読出端末によってサーバーに転送されると、サーバーは、該サーバーに記憶されているユーザーの活動量の情報に基づきデータベースから活動量に関するアドバイスの情報を情報読出端末に送信する請求項１〜７のいずれかに記載の活動量ポイント管理システム。
【発明の詳細な説明】
【技術分野】
【０００１】
本発明は、活動量に対してポイントを付与し、健康の維持又は向上を図るシステムに関する。
【背景技術】
【０００２】
ユーザーが携帯する歩数計などで測定される歩数量をポイント化し、蓄積したポイントで商品やサービスを得られるようにするシステムが提案されている（特許文献１）。このシステムによれば、運動を継続するモチベーションを維持でき、健康の維持あるいは増進を実現できるとされている。
【０００３】
一方、生活習慣病の予防等のために生活を改善するためには、日常生活の活動量について、自己管理により運動を継続するだけでなく、専門家から適切なアドバイスを得ることが有効であり、専門家からアドバイスを受ける間隔は１週間から１ヶ月程度が好ましい。
【先行技術文献】
【特許文献】
【０００４】
【特許文献１】特開２００３−１４１２６０号公報
【発明の概要】
【発明が解決しようとする課題】
【０００５】
特許文献１の記載に準じて活動量計で日々の活動量を測定し、それをポイント化して商品やサービスを得られるようにすることで活動量計のユーザーが運動を継続的に行うようになるとしても、そのユーザーを、１週間から１ヶ月程度の間隔で専門家のアドバイスを受けに行くように仕向けることはできない。仮に、ポイントと商品の交換のため、この交換システムに関わる薬局等の店舗へポイントの有効期間内に出向いたときに、その店舗で専門家のアドバイスを得られるようにするとしても、一般に、商品やサービスに交換できるポイントの有効期限は半年から１年程度に設定されるから、ユーザーが専門家のアドバイスを受ける間隔が過度に長くなってしまう。
【０００６】
これに対しては、ポイントの有効期間を１週間から１ヶ月程度に短くすることが考えられるが、その場合、このシステムに参加している店舗は頻繁にポイントを商品に交換しなくてはならず、販売促進費の負担が増えることになる。
【０００７】
特定の曜日や、末尾が特定の数字になる日に来店すると付加ポイントを得られるようにするなどの方法が考えられるが、その場合には特定の日に顧客が殺到し、顧客が適切なアドバイスを受けられないことが懸念される。
【０００８】
また、ポイントを商品に交換できる日を顧客ごとに指定することが考えられるが、その場合には、顧客の管理が煩雑となり、店舗の負担となる。
【０００９】
そこで、本発明の課題は、活動量計のユーザーが活動量に関するアドバイスを提供する店舗などの所定の場所に適切な間隔で出向くようにユーザーの行動を誘導するシステムを提供することである。
【課題を解決するための手段】
【００１０】
本発明者は、活動量計測手段を備えた携帯端末をユーザーが使用し、該携帯端末で計測された活動量に対してポイントを付与することによりユーザーの運動に対するモチベーションを向上させるにあたり、ユーザーが所定のアドバイス提供地に所定期間ごとに出向いて携帯型端末で計測された活動量が読み出されるようにする場合と、アドバイス提供地に出向かない場合とで活動量に対して付与されるポイントが異なるようにすると上記課題を解決できることを想到し、本発明を完成した。
【００１１】
即ち、本発明は、活動量計測手段を備えた携帯型端末、
活動量計測手段で計測された活動量に対して付与するポイントを算出するポイント算出手段、
ポイント管理機能を有するサーバー、及び
活動量に関するアドバイスが提供されるアドバイス提供地に設置され、活動量計測手段に記憶されている活動量を読み出す情報読出端末、
を備えた活動量ポイント管理システムであって、
ポイント算出手段が、当該時点でポイント付与の対象とする活動量を、情報読出端末で読み出されていない活動量とし、当該時点で活動量に対して付与するポイントを、当該時点より前の情報読出端末による読出時と当該時点との間隔に応じて算出する活動量ポイント管理システムを提供する。
【発明の効果】
【００１２】
本発明によれば、携帯型端末で計測された活動量に対してポイントが付与されるので、ポイントを、商品やサービスと交換できたり、商品やサービスの割引に使用できたりすることにより、携帯型端末のユーザーは運動を心がけ、活動量を増大又は維持することについてモチベーションが上がる。
【００１３】
また、本発明によれば、携帯型端末で計測された活動量の読み出しが、アドバイス提供地に設置された情報読出端末で行われ、携帯型端末のユーザーはここに出向くと活動量に関するアドバイスを受けることができ、さらに、ある時点でアドバイス提供地に出向いて活動量の読出が行われたときから現時点までの期間によって活動量に対して付与されるポイントが異なるので、携帯型端末のユーザーは、高いポイントが付与される所定の期間でアドバイス提供地に出向くようになる。よって、携帯型端末のユーザーに、日常の活動量に関するアドバイスを、該アドバイスの提供に好ましい間隔で提供することが可能となる。
【図面の簡単な説明】
【００１４】
【図１】図１は、実施例の活動量ポイント管理システムを備えた健康ソリューションサービスシステムの模式図である。
【図２】図２は、携帯型端末のディスプレイの表示画面の説明図である。
【図３】図３は、携帯型端末のディスプレイの表示画面の説明図である。
【図４】図４は、アドバイスを記載した評価シートの一例である。
【発明を実施するための形態】
【００１５】
以下、図面を参照しつつ本発明を詳細に説明する。なお、各図中、同一符号は、同一又は同等の構成要素を表している。
図１は、本発明の一実施例の活動量ポイント管理システムを使用した、健康の維持又は向上を図る健康ソリューションサービスシステム１の模式図である。
健康ソリューションサービスシステム１は、該サービスシステムを運営するシステム提供者と、活動量計測手段１１を備えた携帯型端末１０のユーザーと、アドバイス提供地としてサービスシステムに関わる店舗、施設等を含む。
【００１６】
システム提供者は、ユーザーに、活動量計測手段及び計測された活動量に対してポイントを付与するポイント算出手段を備えた携帯型端末１０を無償又は低価格で配布する。また、システム提供者は、ユーザーの活動量や、活動量に対して付与されたポイントを管理するサーバー２０を有している。ここで、活動量に対して付与されたポイントは、所定の商品又はサービスとの交換や、商品又はサービスの割引に使用できる価値を有するものとすることができる。
【００１７】
さらに、システム提供者は、日常生活における活動の質（例えば、歩行速度、連続して歩行する時間の状況等）や量（例えば、歩数、消費カロリー等）と、それらに対するアドバイスとを関連づけたデータベース２１を有している。サーバー２０は、そこに蓄積された各ユーザーの活動量の情報を集計し、その活動量の情報に基づいてデータベース２１から日常生活の活動量に関するアドバイスをアドバイス提供地に設置された情報読出端末３０に送信する。
【００１８】
アドバイス提供地は、携帯型端末１０に記憶された各ユーザーの活動量及びポイントの情報を読み出してシステム提供者のサーバー２０に転送する情報読出端末３０が設置されている場所である。情報読出端末３０としては、通信機能を備えたパーソナルコンピュータを使用することができる。また、アドバイス提供地は、日常の活動量に関するアドバイザー（即ち、日常生活の活動量に関してサーバーから送信されたアドバイスの内容をユーザーに説明できる者）が存在する場所である。
【００１９】
アドバイス提供地となる場所としては、健康ソリューションサービスシステム１に参加する薬局等の店舗、デイケアセンター等の高齢者施設、市町村保健センター等の自治体関連施設、フィットネス施設、民間企業における健康相談施設等をあげることができる。
【００２０】
また、アドバイザーになる者としては、システム提供者から活動量と健康について指導を受けた店員、薬剤師、スポーツインストラクター、健康運動指導士や高齢者体力つくり支援士などの健康指導資格者、理学療法士等をあげることができる。なお、アドバイザーは、情報読出端末３０を用いて携帯型端末１０からユーザーの活動量の情報を読み出し、システム提供者のサーバー２０に転送する操作を行っても良い。
【００２１】
ユーザーは、活動量計測手段１１を備えた携帯型端末１０をシステム提供者から配布された者である。ユーザーは、この携帯型端末１０を使用して日常生活の活動量を計測する。なお、ユーザーへの携帯型端末１０の配布がアドバイス提供地で行われてもよい。
【００２２】
この健康ソリューションサービスシステム１においては、ユーザーが携帯型端末１０で日常生活における活動量を計測し、アドバイス提供地に出向く。アドバイス提供地では、ユーザーの携帯型端末１０に記憶された活動量とポイントの情報が情報読出端末３０に読み取られ、それらの情報がサーバー２０に転送される。サーバー２０は、情報読出端末３０からユーザーの活動量の情報が送信されると、そのユーザーの活動量の情報を記憶すると共に、それまでに蓄積したユーザーの活動量の情報に基づき、データベース２１から日常生活に関するアドバイスの情報を情報読出端末３０に送信する。また、サーバー２０は、ユーザーのポイントの情報が送信されると、サーバーに記憶されているユーザーのポイントの合計値を更新する。サーバー２０は、ポイントの集計情報も情報読出端末３０に送信することができる。一方、アドバイザーは送信されたアドバイスの情報をユーザーに分かり易く伝え、解説する。このとき、送信されたアドバイスの情報を、例えば図４に示す評価シート４０のように、紙面に出力してユーザーに手渡しても良い。この評価シート４０には、所定期間における、歩行速度、平均歩数、平均消費カロリー、平均装着時間（即ち、活動が認められた平均時間）の目標値と実績値と達成度などが記載され、それらを合わせた評価がＡ、Ｂ、Ｃ、Ｄのランクでカレンダーの各日付に表され、さらに総合評価もＡ、Ｂ、Ｃ、Ｄのランクで表され、アドバイスの文面が記載されている。これによりユーザーは、自らの活動量について、アドバイザーから専門的なアドバイスを分かり易く説明してもらうことができ、また、アドバイザーとのコミュニケーションを深めることができる。そこで、ユーザーはアドバイス提供地に繰り返し出向くようになる。
【００２３】
また、アドバイス提供地が、例えば、薬局等の店舗である場合、その店舗にはユーザーが繰り返し出向くようになることで、店舗における商品の販売が促進され、売り上げが向上する。したがって、健康ソリューションサービスシステム１においては、システム提供者がユーザーに携帯型端末１０を無償で配布し、アドバイス提供地となる店舗がシステム提供者に該サービスシステムの使用料を支払うようにしても良く、システム提供者が健康の維持向上に関わる製品を製造している場合に、その製品が店舗で取り扱われるようにしても良い。
【００２４】
また、アドバイス提供地がデイケアセンター等の高齢者の福祉施設に係る場合、ユーザーである高齢者が該施設に繰り返し出向くようになることで、該施設は高齢者の健康状態を把握し易くなり、ひいては病気を予防することができる。よって、該施設がこのサービスシステムの使用料を支払うようにしても良く、公的費用により使用料が支払われるようにしても良い。
【００２５】
このように、図１に示した健康ソリューションサービスシステム１によれば、ユーザーには携帯型端末１０が配布され、日常の活動量についてアドバイスを受けられるという利点があり、また、活動量に対して付与されたポイントにより商品やサービスを得られるという利点がある。アドバイス提供地となる店舗、施設などには、そこにユーザーが出向くようになることで店舗の売り上げが向上したり、ユーザーの健康状態を把握し易くなったりするという利点がある。さらに、システム提供者は、アドバイス提供地となる店舗、施設などからこのサービスシステムの使用料を得られたり、システム提供者の商品がアドバイス提供地で取り扱われたりする等の利点がある。
【００２６】
ここで、この健康ソリューションサービスシステム１をより実効あらしめるためには、ユーザーが、活動量に関するアドバイスを受けるのに好ましい間隔（例えば、１週間〜１ヶ月間隔）でアドバイス提供地に出向くようにユーザーを誘導することが好ましい。本発明の活動量ポイント管理システムは、そのようなユーザーの誘導に有効なシステムであって、活動量計測手段１１を備えた携帯型端末１０、活動量計測手段１１で計測された活動量に対して付与するポイントを算出するポイント算出手段１２、アドバイス提供地に設置された情報読出端末３０、及びポイント管理機能を備えたサーバー２０を備えている。
【００２７】
また、本実施例において、携帯型端末１０には活動量計測手段１１の他にポイント算出手段１２が組み込まれ、さらに現在の時刻や日付を認識する時計、記憶手段、通信手段、ディスプレイ等の表示手段が組み込まれている。
【００２８】
ここで、活動量計測手段１１としては、３軸の加速度を計測する加速度センサを内蔵し、加速度センサによる加速度の計測値に基づき、活動量を、消費カロリー、日常歩行速度、歩数、又は活動時間等として出力できるものを使用する。このような活動量計測手段としては、例えば、パナソニック社製デイカロリＥＷ−ＮＫ１０等を使用することができる。
【００２９】
携帯型端末１０の記憶手段は、活動量計測手段１１で計測された活動量や、ポイント算出手段１２で算出されたポイントや、活動量が情報読出端末３０で読み出された日時を記憶する。この記憶手段に記憶された活動量やポイントの情報は、情報読出端末３０で読み出された後は携帯型端末１０の記憶手段から消去され、情報読出端末３０でサーバー２０に送信され、サーバー２０に蓄積される。なお、情報読出端末３０でポイントや活動量の情報が読み出された後に、それらの情報が携帯型端末１０の記憶手段から確実に消去され、サーバー２０で二重に加算されることを防止するため、記憶手段を制御するＣＰＵが、ポイントや活動量が情報読出端末３０で読み出された日時を時計から読み取って記憶すると共に、記憶手段におけるポイントや活動量の書き込み領域の値をゼロにすることが好ましい。
【００３０】
ディスプレイは、携帯型端末１０に記憶されている活動量や、活動量に対して当該時点で付与されるポイント、当該時点の日時などを適宜表示する。
【００３１】
ポイント算出手段１２は、携帯型端末１０に組み込まれた演算装置によって実現される。ポイント算出手段１２では、活動量計測手段１１で計測された活動量に対し、以下に説明する特徴的な方法でポイントを付与する。
【００３２】
ポイント算出手段１２では、当該時点でポイント付与の対象とする活動量を、未だポイント付与の計算の対象とされていない活動量の情報とし、より具体的には、アドバイス提供地で携帯型端末１０から情報読出端末３０に読み出されていない活動量の情報とする。ここで、携帯型端末１０から読み出されていない活動量の情報には、携帯型端末１０において未読処理等をすることにより、読み出されていないと扱われる活動量の情報を含む。また、ポイント算出手段１２では、当該時点で活動量に対して付与するポイントを、当該時点より前の携帯型端末１０からの活動量情報の読出時と当該時点との間隔、即ち、当該時点よりも前の直近で活動量がアドバイス提供地で読み出されたときから、当該時点までの期間に応じて算出する。
【００３３】
ポイント算出手段１２によるポイントの付与態様としては、例えば、第１の態様として、当該時点より前の携帯型端末１０からの活動量情報の読出時と当該時点との間隔が所定期間を経過している場合に、当該時点で携帯型端末に記憶されている全ての活動量に対してポイントを付与しないが、所定期間経過前ならばその活動量に対してポイントを付与することができる。ここで所定期間とは、例えば、ユーザーの日常生活の活動量を専門家が定期的にチェックし、活動量についてユーザーにアドバイスするために好ましい間隔の上限値として７〜６０日を設定する。
【００３４】
このように所定期間経過により活動量に対してポイントを付与しない場合には、その旨を所定期間が経過する前に携帯型端末１０に表示し、ユーザーがアドバイス提供地に行くことが促されるようにすることが好ましい。例えば、図２に示したように、携帯型端末１０のディスプレイ１３の通常の画面で、携帯型端末１０に記憶されている活動量１３ａ、当該時点の日時１３ｂ、活動量１３ａに対して付与されるポイント１３ｃが表示されるようにした場合に、そのポイント１３ｃが３日以内に消失してしまい活動量に対してポイントが付与されなくなるときに活動量１３ａの表示を点滅させることで、活動量に対してポイントがつかなくなる日が近いことを知らせ、ユーザーがアドバイス提供地に出向くことを促す。
【００３５】
また、ポイント付与の第２の態様として、携帯型端末１０に記憶されている活動量のうち、所定期間経過したものについてポイントを付与しないとすることができる。例えば、携帯型端末１０に記憶されている日々の活動量のうち、アドバイス提供地で前回ポイントが読み出されてから４０日経過した活動量にはポイントを付与しないとする場合に、当該時点で前回ポイントが読み出されてから４４日経過している場合、前回ポイントが読み出されてから数えて４日分の活動量については、既にポイントが付与されないことになる。そのような場合、例えば図２に示したように、携帯型端末１０のディスプレイ１３の画面で、携帯型端末１０に記憶されている活動量１３ａ、当該時点の日時１３ｂ、活動量１３ａに対して付与されるポイント１３ｃが表示され、さらに図３に示したように、当該時点で失効したポイント１３ｄが表示されるようにしてもよい。
【００３６】
また、上述の場合に、所定期間を経過した活動量については、ポイントの付与割合を減らすよう構成しても良い。
【００３７】
さらに、ユーザーが過度に短い期間でアドバイス提供地に出向くことを抑制するため、前回ユーザーがアドバイス提供地に出向いて携帯型端末１０の活動量が読み出されてから所定期間経過前に今回ユーザーがアドバイス提供地に出向いて携帯型端末１０の活動量が読み出された場合に、その間の活動量の情報はサーバーに転送されるが、携帯型端末１０において未読処理をすることにより活動量の情報が読み出されていないとし、活動量に対するポイントの付与が保留されるようにしても良い。
【００３８】
上述の第２の態様で活動量にポイントを付与する場合に、携帯型端末１０において、前回活動量が読み出されてから所定期間経過した活動量は、携帯型端末１０の記憶手段に保存されないようにしてもよい。例えば、携帯型端末１０の記憶手段が、１ヶ月分の活動量の情報を分単位で記憶し、記憶手段を制御するＣＰＵが毎日午前０時になると、記憶された記憶された前日の活動量のデータから前日のポイントを計算し、計算されたポイントと活動量と前日の日付とを一組にして記憶手段に記憶させる。このとき、ポイントの記憶領域は７日分だけとする。これにより、ポイントについては８日目以降が順次上書きされ、直近の７日分だけのポイントが携帯型端末１０に記憶されているようになる。よって、ユーザーは、１週間ごとにアドバイス提供地に出向いて携帯型端末１０から活動量を読み出しさせることを促される。なお、この場合でも、活動量の情報は最大１ヶ月分が携帯型端末１０に記憶されるので、その１ヶ月分の活動量の情報をサーバー２０に転送し、その情報に基づいてサーバーからアドバイスを受けることが可能となる。
【００３９】
この活動量ポイント管理システムにおいて、情報読出端末３０は、健康ソリューションサービスシステム１について説明したように携帯型端末１０から読み出した活動量やポイントの情報をサーバー２０に転送する。
【００４０】
健康ソリューションサービスシステム１について説明したように、サーバー２０はユーザーの活動量やポイントを記憶し、ユーザーにアドバイスの情報を送信するが、特に、活動量ポイントシステムにおいては、サーバー２０自体の構成としても、携帯型端末１０に記憶されている活動量であって、前回、情報読出端末３０で活動量が読み出されてから所定期間経過したものに対してはポイントが付与されないようにすることができる。この場合、サーバー２０のポイントを管理する領域においては、例えば、１週間分のポイント情報が当該ユーザーのポイント管理テーブルに、日付け対応で書き込まれるようにする。即ち、このテーブルでは、８日以上前の領域にはデータが書き込まれない。これにより、ユーザーが８日間以上アドバイス提供地を訪れず、活動量の読み出しが行われない場合において、仮に８日以上前の活動量に対するポイントが情報読出端末３０からサーバー３０に送信されたとしても、サーバー２０ではポイントの加算が行われない。したがって、ユーザーが活動量を無駄なくポイントに換えるためには、１週間ごとにアドバイス提供地で活動量の読み出しを行わなくてはならず、アドバイス提供地に１週間ごとに出向く強力な動機付けをユーザーに与えることができる。
【００４１】
本発明は、種々の態様をとることができる。例えば、上述の活動量ポイント管理システムにおいて、ポイント算出手段を情報読出端末３０に組み込み、ポイントの情報が情報読出端末３０からサーバー２０に送信されるようにしても良く、ポイント算出手段をサーバー２０に組み込んでも良い。ポイント算出手段を情報読出端末３０又はサーバー２０に組み込んだ場合、当該時点で携帯型端末１０に記憶されている活動量に対して付与されるポイントを携帯型端末１０で確認できるようにするため、携帯型端末１０から情報読出端末３０又はサーバー２０に適宜通信手段でアクセスできるようにしてもよい。
【００４２】
また、ユーザーの活動量の管理を情報読出端末３０で行い、活動の質（例えば、歩行速度、連続して歩行する時間の状況等）や量（例えば、歩数、消費カロリー等）とそれらに対するアドバイスとを関連づけたデータベース２１を情報読出端末３０と接続し、情報読出端末３０からアドバイスが出力されるようにしても良い。
【符号の説明】
【００４３】
１    健康ソリューションサービスシステム
１０    携帯型端末
１１    活動量計測手段
１２    ポイント算出手段
１３    ディスプレイ
１３ａ  ディスプレイに表示された活動量
１３ｂ  ディスプレイに表示された日時
１３ｃ  ディスプレイに表示されたポイント
１３ｄ  失効したポイント
２０    サーバー
２１    データベース
３０    情報読出端末
４０    アドバイスを記載した評価シート
【図１】
0006428262.tif 000002
【図２】
0006428262.tif 000003
【図３】
0006428262.tif 000004
【図４】
0006428262.tif 000005